(57)【要約】      （修正有）【課題】ガラス粉末と発泡剤を焼成してなる発泡塊と接着材料を混合し成型してなる升状ブロックを形成し、形状の簡素化とコストダウンと汎用性を実現し、他の断熱ブロックや嫌熱面に設置可能とすることで、断熱効果をより高めると共に緑化も可能とする。【解決手段】発泡塊を接着材料と混合し、脚無しの升状に成型すると共に、升状凹部の深さを３〜１１ｃｍとすることで、土壌を収納可能とする。土壌を収納することによって、太陽光の熱が土壌に吸収され、効果的に太陽熱を遮断でき、この土壌を利用して緑化もできる。また、脚付きの公知の断熱ブロックの上に脚又はスペーサを介して前記の升状ブロックを設置することで二段の空気層を形成でき、断熱効果が更に向上する。【選択図】図６
0003128200.tif 000002
【実用新案登録請求の範囲】
【請求項１】
ガラス粉末と発泡剤を焼成してなる発泡塊を接着材料と混合し、脚無しの升状に成型すると共に、升状凹部の深さを３〜１１ｃｍとすることで、土壌を収納可能としたことを特徴とする容器状の断熱ブロック。
【請求項２】
前記の升状凹部に土壌を収納してなることを特徴とする請求項１に記載の容器状の断熱ブロック。
【請求項３】
前記の土壌を利用して植物を育成してあることを請求項２に記載の容器状の断熱ブロック。
【請求項４】
前記の升状の部分の外底に、接着手段および／又はネジ手段を用いて、３以上の脚を取付けてなることを特徴とする請求項１から請求項３までのいずれかの項に記載の容器状の断熱ブロック。
【請求項５】
前記の升状の部分を、スペーサを介して、各種断熱ブロック、屋上、路面その他の嫌熱面の上に設置してなることを特徴とする請求項１から請求項３までのいずれかの項に記載の容器状の断熱ブロック。
【請求項６】
脚付きの断熱ブロックの上に脚又はスペーサを介して前記の升状ブロックを設置することで二段の空気層を形成可能としたことを特徴とする請求項１から請求項５までのいずれかの項に記載の容器状の断熱ブロック。
【請求項７】
前記の升状ブロックを碁盤目状に隣接状態に配置してなることを特徴とする請求項１から請求項６までのいずれかの項に記載の容器状の断熱ブロック。
【請求項８】
前記の升状凹部の内底に通水性の悪いシートを敷くか、合成樹脂やモルタルを塗布してあることを特徴とする請求項１から請求項７までのいずれかの項に記載の容器状の断熱ブロック。
【請求項９】
前記の升状凹部の外底にモルタル又は合成樹脂を塗布してあることを特徴とする請求項１から請求項７までのいずれかの項に記載の容器状の断熱ブロック。
【考案の詳細な説明】
【技術分野】
【０００１】
本考案は、ガラス粉末と発泡剤を含む混合材を焼成してなる発泡塊を接着材料と混合し成型してなる升状の断熱ブロックに関する。
【背景技術】
【０００２】
本考案の考案者は、特許第３７６５７４４号（特願２００１−３２７４６１）として、図１のような四角形状の床部１の四隅に脚２を有している断熱ブロックを、ガラス粉末と発泡剤を含む混合材を焼成してなる発泡塊を接着材料と混合し成型してなる発明を提案した。前記の接着材料には、通常のモルタルやセメントのほか、合成樹脂製の接着材料なども含まれる。そして、前記の断熱ブロックの上側面に凹部３を形状して、その中に保水マットや発泡塊を入れる発明も提案した。前記の保水マットや発泡塊の上で芝生などの緑化植物を育成することもできる。
【特許文献１】特許第３７６５７４４号
【考案の開示】
【考案が解決しようとする課題】
【０００３】
しかしながら、前記の凹部３は、降雨が溜まり易いように深さ５〜１０ｍｍ程度の浅い皿状に形成したものであって、断熱効果は期待できない。そのため、四隅に脚を設け、脚の高さ分だけ四角形状の床部を浮かせて、遮熱のための空気層を形成する必要がある。また、凹部３は５〜１０ｍｍ程度と浅いため、保水マットや発泡塊などのように保水性に富んだ材料を入れないと、芝生などの緑化植物の育成は不可能である。この場合の芝生や緑化植物は、土壌つきである必要がある。このような深さ５〜１０ｍｍの浅い皿状凹面では、土壌を入れて植物を育成するには、保水性や根を深く張れないなどの問題があり、緑化には適しない。
【０００４】
しかも、四隅に脚２…を設けたり、保水マットや発泡塊を凹面に入れたりしても、太陽光の熱を充分に吸収可能とするには、四角形状の床部を充分に厚くする必要があり、その結果、ガラス粉末と発泡剤を焼成してなる発泡塊を多量に用いる必要があり、コスト高となる。あるいは、特許文献１に記載のように、四角形状の床部に中間空気層を形成することによって、２層構造の断熱ブロックとする必要があるが、特殊構造であるため、製造コストが高くなる。
【０００５】
そこで、本考案の考案者は、よりシンプルで安価な構造とし、かつ特殊資材である発泡塊の使用量を減らして通常の土壌を使用可能とすることに着目した。通常の土壌が使用可能となると、保水マットや発泡塊の機能も兼ねることができるので、さらにコストダウンが可能となり、しかも植物も育成できる。本考案の技術的課題は、このような問題に着目し、ガラス粉末と発泡剤を焼成してなる発泡塊と接着材料を混合し成型してなるブロックを脚無しの升状とすることによって、形状の簡素化とコストダウンと汎用性を実現し、他の断熱ブロックや嫌熱面に設置可能とすることによって、断熱ブロックとしての効果をより高めると共に緑化も可能とすることにある。
【課題を解決するための手段】
【０００６】
本考案の技術的課題は次のような手段によって解決される。請求項１は、ガラス粉末と発泡剤を焼成してなる発泡塊を接着材料と混合し、脚無しの升状に成型すると共に、升状凹部の深さを３〜１１ｃｍとすることで、土壌を収納可能としたことを特徴とする容器状の断熱ブロックである。このように、発泡塊を接着材料と混合し、脚無しの升状に成型すると共に、升状凹部を３〜１１ｃｍと深くすることで、土壌を収納可能としたことにより、土壌を収納することによって、太陽光の熱が前記の土壌に吸収されるので、効果的に太陽熱を遮断できる。しかも、この土壌を利用して緑化もできる。升状凹部の深さが１１ｃｍを越えると、高過ぎると共に土壌を収納したとき重過ぎて、屋根に設置するのに適しない。また、３ｃｍ未満になると、収納した土壌が浅過ぎて、保水力が不足すると共に根を充分に張ることができず、植物の生育に適しない。
【０００７】
容器状の断熱ブロックの原料として、高価な発泡塊の使用量を低減でき、かつ保水用の保水マットや発泡塊が不要となり、コストダウンが可能となる。しかも、一体の脚無しの升状であるため、脚の分だけ升状凹部を深くして土壌を深く収納できるほか、構成がシンプルで製造コストが安価となり、かつ安定性が良いので、他の断熱手段や嫌熱面に重ねるだけで使用でき、簡便である。
【０００８】
請求項２は、前記の升状凹部に土壌を収納してなることを特徴とする請求項１に記載の容器状の断熱ブロックである。このように、前記の升状凹部に土壌を収納してあるため、土壌部分が充分に厚くなり、断熱効果が高くなる。しかも、植物の育成も可能となる。
【０００９】
請求項３は、前記の土壌を利用して植物を育成してあることを特徴とする請求項２に記載の容器状の断熱ブロックである。このように、前記の升状凹部中の土壌を利用して植物を育成してあるため、緑化によってヒートアイランド現象を抑制できると共に、環境緑化が実現される。
【００１０】
請求項４は、前記の升状の部分の外底に、接着手段および／又はネジ手段を用いて、３以上の脚を取付けてなることを特徴とする請求項１から請求項３までのいずれかの項に記載の容器状の断熱ブロックである。このように、前記の升状の部分の外底に、接着手段および／又はネジ手段を用いて、３以上の脚を取付けてあるため、脚の高さ分だけ、升状の部分の外底の下に空間ができるので、空気層による遮熱効果が発生し、断熱ブロックとしてより効果的である。
【００１１】
請求項５は、前記の升状の部分を、スペーサを介して、各種断熱ブロック、屋上、路面その他の嫌熱面の上に設置してなることを特徴とする請求項１から請求項３までのいずれかの項に記載の容器状の断熱ブロックである。このように、前記の升状の部分を、スペーサを介して、各種断熱ブロック、屋上、路面その他の嫌熱面の上に設置してあるため、前記のように脚を設けた場合と同様に、升状の部分の外底の下にスペーサ分の空間ができるので、空気層による遮熱効果が加わり、断熱ブロックとしてより効果的である。しかも、スペーサや前記脚の高さを調節することで、空気層の厚さを自由に設定できる。
【００１２】
請求項６は、脚付きの断熱ブロックの上に脚又はスペーサを介して前記の升状ブロックを設置することで二段の空気層を形成可能としたことを特徴とする請求項１から請求項５までのいずれかの項に記載の容器状の断熱ブロックである。このように、脚付きの断熱ブロックの上に脚又はスペーサを介して前記の升状ブロックを配置してあるため、脚又はスペーサによって第１の空気層が形成され、前記の脚付きの断熱ブロックの脚によって第２の空気層が形成され、結果的に二段の空気層が形成されるので、断熱効果の最も優れた２段ブロックとなる。
【００１３】
請求項７は、前記の升状ブロックを碁盤目状に隣接状態に配置してなることを特徴とする請求項１から請求項６までのいずれかの項に記載の容器状の断熱ブロックである。このように、前記の升状の部分を碁盤目状に隣接状態に配置してあるため、屋上その他の広い面の断熱が可能となる。設置面の広さや形状に応じて升状ブロックの配置を自由に増減でき、しかも撤去も容易である。
【００１４】
請求項８は、前記の升状凹部の内底に通水性の悪いシートを敷くか、合成樹脂やモルタルを塗布してあることを特徴とする請求項１から請求項７までのいずれかの項に記載の容器状の断熱ブロックである。このように、前記の升状凹部の内底に通水性の悪いシートを敷くか、合成樹脂やモルタルを塗布してあるため、土壌の水はけを抑制して、干ばつ時の灌水の負担を軽減できる。
【００１５】
請求項９は、前記の升状凹部の外底にモルタル又は合成樹脂を塗布してあることを特徴とする請求項１から請求項７までのいずれかの項に記載の容器状の断熱ブロックである。このように、前記の升状凹部の外底に合成樹脂やモルタルを塗布し平坦化してあると、升状凹部の外底の通水性が阻害されて、升状凹部の底部自体の発泡塊やその隙間に保水されるので、升状凹部中の土壌の乾燥をより抑制できる。しかも、空気の流動抵抗が減少して対流が容易になるので、熱気の移動排出が容易になり、断熱ブロックとしてより有効である。
【考案の効果】
【００１６】
請求項１のように、発泡塊を接着材料と混合し、脚無しの升状に成型すると共に、升状凹部を３〜１１ｃｍと深くすることで、土壌を収納可能としたことにより、土壌を収納することによって、太陽光の熱が前記の土壌に吸収されるので、効果的に太陽熱を遮断できる。しかも、この土壌を利用して緑化もできる。升状ブロックの原料として、高価な発泡塊の使用量を低減でき、かつ保水用の保水マットや発泡塊が不要となり、コストダウンが可能となる。しかも、一体の脚無しの升状であるため、脚の分だけ升状凹部を深くして土壌を深く収納できるほか、構成がシンプルで製造コストが安価となり、かつ安定性が良いので、他の断熱手段や嫌熱面に重ねるだけで使用でき、簡便である。
【００１７】
請求項２のように、前記の升状凹部に土壌を収納してあるため、土壌部分が充分に厚くなり、断熱効果が高くなる。しかも、植物の育成も可能となる。
【００１８】
請求項３のように、前記の升状凹部中の土壌を利用して植物を育成してあるため、緑化によってヒートアイランド現象を抑制できると共に、環境緑化が実現される。
【００１９】
請求項４のように、前記の升状の部分の外底に、接着手段および／又はネジ手段を用いて、３以上の脚を取付けてあるため、脚の高さ分だけ、升状の部分の外底の下に空間ができるので、空気層による遮熱効果が発生し、断熱ブロックとしてより効果的である。
【００２０】
請求項５のように、前記の升状の部分を、スペーサを介して、各種断熱ブロック、屋上、路面その他の嫌熱面の上に設置してあるため、前記のように脚を設けた場合と同様に、升状の部分の外底の下にスペーサ分の空間ができるので、空気層による遮熱効果が加わり、断熱ブロックとしてより効果的である。しかも、スペーサや前記脚の高さを調節することで、空気層の厚さを自由に設定できる。
【００２１】
請求項６のように、脚付きの断熱ブロックの上に脚又はスペーサを介して前記の升状ブロックを配置してあるため、脚又はスペーサによって第１の空気層が形成され、前記の脚付きの断熱ブロックの脚によって第２の空気層が形成され、結果的に二段の空気層が形成されるので、断熱効果の最も優れた２段ブロックとなる。
【００２２】
請求項７のように、前記の升状の部分を碁盤目状に隣接状態に配置してあるため、屋上その他の広い面の断熱が可能となる。設置面の広さや形状に応じて升状ブロックの配置を自由に増減でき、しかも撤去も容易である。
【００２３】
請求項８のように、前記の升状凹部の内底に通水性の悪いシートを敷くか、合成樹脂やモルタルを塗布してあるため、土壌の水はけを抑制して、干ばつ時の灌水の負担を軽減できる。
【００２４】
請求項９のように、前記の升状凹部の外底に合成樹脂やモルタルを塗布し平坦化してあると、升状凹部の外底の通水性が阻害されて、升状凹部の底部自体の発泡塊やその隙間に保水されるので、升状凹部中の土壌の乾燥をより抑制できる。しかも、空気の流動抵抗が減少して対流が容易になるので、熱気の移動排出が容易になり、断熱ブロックとしてより有効である。
【考案を実施するための最良の形態】
【００２５】
次に本考案による升状断熱ブロックが実際上どのように具体化されるか実施形態を説明する。図２は、本考案による升状断熱ブロック（以下「升状ブロック」と略す）Ｂの斜視図であり、下面が平坦な正方形のブロックに升状の凹部４を形成してある。この升状ブロックの高さは７〜１５ｃｍ程度で、特に９〜１１ｃｍ程度が好適である。１辺のサイズは、３０〜５０ｃｍ程度が適しており、特に３８〜４０ｃｍ程度が好適である。
【００２６】
図３は図２のＡ−Ａ断面図で、側壁５の厚さは２〜３ｃｍ程度、特に２．５ｃｍ程度が好適である。底部６の厚さは、２〜４ｃｍ程度で適しており、特に３ｃｍ程度が好適である。したがって、升状凹部４の深さは５〜１３ｃｍ程度であり、７〜１１ｃｍ程度が特に好適である。なお、各側壁５には、１／２の位置に、半円状の引っ込み部７を縦方向に形成して、通気性を図っている。側壁５と底部６との間の外側８は、斜めに面取りして、破損防止を図っている。破壊試験の結果、底部６の厚さ３ｃｍ、１辺３８ｃｍ、高さ１０ｃｍの場合、曲げ破壊荷重の平均値は２．４ｋＮであった。したがって、この升状ブロックの人が歩いて容易に破壊する恐れはない。
【００２７】
通常の断熱ブロックは、コンクリート材料で成型されるが、本考案の升状ブロックＢは、ガラス粉末と発泡剤を含む混合材を焼成してなる発泡塊ｇを接着材料と混合することによって成型される。前記の接着材料には、通常のモルタルやセメントのほか、合成樹脂製の接着材料なども含まれるものとする。
【００２８】
発泡塊とその製法は公知であり、例えば特開平１０−２０３８３６号公報や特開平１１−２３６２３２号公報などに記載されているように、ミクロンオーダーのガラス微粉末に、例えば炭酸カルシウムや炭化珪素、ホウ砂などの発泡剤を混ぜて炉の中を通過させ加熱することによって溶融させると発泡し、板状の発泡体となって出て来る。なお、前記ガラス微粉末は、廃ガラスを一旦破砕した後、微粉末化処理して製造される。
【００２９】
前記の板状発泡体が外気に触れると、温度差で自然と割れる。また、屋外に積み上げておくと、さらに割れて、数ｃｍサイズの石ころ状となる。この発泡塊は、環境破壊の要因となっている廃ガラスびん等を破砕して製造するため、資源のリサイクルになるだけでなく、廃びんの埋め立てなどの環境問題の改善にも寄与できる。
【００３０】
この発泡塊は、硬度も高くないので、サイズが大きすぎる場合は、破砕機で容易に破砕して任意のサイズにできる。加熱温度や被発泡材の炉内移送速度、発泡剤の量などの選定によって、気泡のサイズや連続気泡か独立気泡かなどをコントロールできる。断熱だけが目的の場合は、独立気泡でもよいが、緑化にも使用する場合は、吸水性や排水性のよい連続気泡が適している。
【００３１】
本考案では、従来のコンクリートブロックを製造する際のセメントや合成樹脂などの接着材料に前記の発泡塊を混ぜて図示のような升状ブロックを成型する。なお、セメントなどの接着材料は、各発泡塊を接着して接合できる程度の量で足りる。発泡塊の量に対し接着材料の量が多すぎると、重量が増すだけでなく、ブロック全体としての発泡塊の量が減少したり、発泡孔の開口が塞がれたり、各発泡塊同士の間の隙間が減少するなどの問題が発生するからである。
【００３２】
以上のように、ガラス粉末と発泡剤を含む混合材を焼成してなる発泡塊は、無数の気泡を有しているため、軽量であると共に断熱性にもすぐれている。また、気泡からなる無数の孔が開いているので、保水性や排水性にもすぐれている。したがって、発泡塊を接着材料と混合することによって成型した升状ブロックは、軽量であるため、建物の屋根や屋上などに大量に敷設するのに適している。しかも、発泡塊に対し接着材料を少なめにして、各発泡塊同士の間に隙間を形成すると、この隙間や発泡塊の気泡に植物の根が入り込んで活着できる。
【００３３】
図４以下は、図２、３の升状ブロックの使用方法を各種例示する図である。図４は、升状ブロックの深さ３〜１０ｃｍの升状凹部４の中に土壌９を収納してあるため、太陽光の熱が前記土壌９に吸収され、底部６への熱伝導量が減少する。したがって、屋上などに設置した場合、断熱ブロックとして有効である。この場合、収納した土壌９は３〜１０ｃｍと充分に深いので、芝生１０などの植物を生やすこともできる。なお、土壌９には、人工土壌も含まれるものとする。
【００３４】
升状ブロックＢを構成している発泡塊を接着材料との混合物は多孔質で、通水性がよく、水はけが良いため、升状凹部４中の土壌９の乾燥が速過ぎる場合は、灌水の負担が大きい。そこで、灌水の頻度を少なくするために、升状凹部４の底内面にビニールシートなどのような通水性の悪いシート１１を敷いておくと有効である。このシート１１は、底面だけでなく、側壁５の内面にも多少の高さまで立ち上げると、水が溜まり易いので、乾燥防止の上ではより効果的である。シート１１に代えて、モルタルやウレタン樹脂などの塗料を塗って多孔や隙間を塞いでもよい。
【００３５】
このような底部６内面に代えて、底部外面に塗布してもよい。底部６下面に塗布すると、発泡塊ｇ間の無数の隙間が塞がれて平坦になるため、空気の移動が容易になり対流が容易になる。底部６外面にモルタルを塗布するには、金型ゴテ式を採用すると、自動化も可能となる。底部６外面にモルタルや樹脂を塗布して通水を阻止すると、底部６の発泡塊ｇやその隙間にも保水されるので、土壌９を効果的に乾燥防止できる。
【００３６】
このように底部６が平坦で安定性の良い升状ブロックＢに土壌９を収納したり、植物１０を生やしたりできるので、屋上、歩道などの路面、各種断熱ブロックなどの上に設置するのに適している。ベランダや縁側付近、庭、庭園、公園などのような温度上昇を嫌う場所すなわち嫌熱面に有効である。緑化目的にも有効である。しかしながら、このように設置する場合、底部６と設置面１２との間に熱伝導の小さい空気層を形成すると、より効果的である。
【００３７】
図４のように升状ブロックＢをそのまま、各種の設置面１２上に設置する場合よりも、図５のようにスペーサＳを介在させることによって、スペーサＳの高さ分の空気層ａを形成するのが良い。その結果、太陽熱で土壌９が加熱され、かつ底部６まで熱伝導しても、その下の空気層ａで熱が遮断されるので、設置面１２に対する断熱効果が大きくなる。このように、升状ブロックを用いると、そのまま設置したり、下部にスペーサや脚を介在させるなど、いろいろな使い方ができ、汎用性にも富んでいる。
【００３８】
図６のように、脚２付きの通常の断熱ブロックｂの上にスペーサＳを介して本考案の升状ブロックＢを設置すると、スペーサＳによる空気層ａ１に加えて、断熱ブロックｂと設置面１２との間の空気層ａ２が形成されることで、断熱用の空気層が２層形成されることになり、より効果的である。このように、通常の断熱ブロックｂの上にスペーサＳを介して設置するだけであるから、構成もシンプルで、設置作業も簡素化される。したがって、前記の特許文献１に記載されているような四角形状の床部に中間空気層を形成することによって、２層の特殊構造を成型する必要もなく、安価に実現できる。
【００３９】
スペーサＳとしては、モルタルを団子状にして介在させたり、一定厚のコンクリート片や木片、合成樹脂片などを介在させてもよい。設置面が断熱ブロック、屋上、路面又はその他の嫌熱面のいずれであるかによって、種々のスペーサ形態を採用できる。通常の断熱ブロックｂとしては、図１のような脚２を有していて、設置面１２との間に空気層ａ２を形成可能な形状が適している。ただし、下段の断熱ブロックｂには、升状凹部４や図１のような浅い凹部３を要しないことは言うまでもない。材質は通常のコンクリートでも良いが、断熱効果を高めたり軽量化する上では、上段の升状ブロックＢと同様に発泡塊を接着材料と混合して成型したものが適している。なお、下段の断熱ブロックｂとその上の升状ブロックＢの底部にボルトなどを挿通して、互いに連結することも可能であり、対の状態で一体化されているので取り扱いが簡便になる。前記のモルタルの団子や接着剤によって一体化することも可能である。
【００４０】
前記のように設置部と底部６との間に介在させるスペーサＳに代えて、底部６に固定式の脚を取付けることもできる。この場合の脚は、升状ブロックＢを安定良く設置する上では、３か所以上必要である。脚の種類としては、例えば図７のように、合成樹脂製の断面が台形状の円錐体１３の中にボルト１４を取付けてなるＰコンを用いると簡便である。この脚を升状ブロックＢの底部６に取付けるには、ボルト１４の外径より大きめの孔を開けておいて、接着用の合成樹脂を詰め込み、その中にボルト１４を押し込んで固定すると効果的である。底部６の内面まで貫通する孔を開けてボルトを上から貫通させ、その下端に合成樹脂脚１３を螺合させることもできる。
【００４１】
図８のように、高さの異なる脚１３…を用意しておけば、底部６の下側の空気層ａ１の層厚を自由に設定できる。図７のＰコンの円錐体１３はメネジ孔が貫通しているので、ボルト１４の下のメネジ孔に他のＰコンのボルト１４を螺入し継ぎ足すことで、２段構造にできる。したがって、図８の脚１３が低い場合は、安価で小さなＰコンを２段にして使用したり、下段のＰコンで設置面に対するレベル調整もできる。このように、脚１３を底部６の下面に取付けると、前記のスペーサＳを高くしたり一体化した格好となり、升状ブロックＢの取り扱いも簡便になる。
【００４２】
図９のように、図４のように植物１０を生やした升状ブロックＢを多数碁盤目状に隣接状態に設置すると、全面が植物１０によって緑化状態に見えるので、環境緑化に適している。ただし、側壁５の上面５ａだけは見えるが、植物１０による緑色と好対照をなし、デザイン的に遜色はない。また、芝生などが踏み荒らされるのを側壁５で抑止できる。蔓性の芝生や植物を育成すると、側壁上面５ａを越えて隣接する升状ブロック中の土壌９まで延びるので、側壁上面５ａは隠れて目立たなくなる。
【００４３】
また、隣接する側壁５・５間に前記の半円状の引っ込み部７・７によって丸い空気道が形成され、図５や図６のように隣接して設置した状態において、空気層ａ、ａ１、ａ２中の加熱空気が上昇して抜けるため、断熱に有効に作用する。図４で説明したように、底部６の下面にモルタルなどを塗布して平坦化した場合は、空気の移動抵抗が減少するので、その下の空気層ａ、ａ１を空気が流れて対流を起こしたり、引っ込み部７・７による前記空気道を熱気が上昇するのを促進できる。
【産業上の利用可能性】
【００４４】
以上のように、本考案によると、ガラス粉末と発泡剤を焼成してなる発泡塊を接着材料と混合し成型してなる断熱ブロックを升状ブロックとすることによって、形状の簡素化とコストダウンと汎用性を実現でき、しかも他の断熱ブロックや嫌熱面などに設置することによって、断熱ブロックとしての効果をより高めることができる。
【図面の簡単な説明】
【００４５】
【図１】凹面と脚を有する従来の断熱ブロックを示す斜視図である。
【図２】本考案による升状断熱ブロックの斜視図である。
【図３】図２のＡ−Ａ断面図である。
【図４】升状ブロックの升状凹部に土壌を収納した状態の縦断面図である。
【図５】升状ブロックの下側にスペーサを介在させることによって、空気層を形成した状態の縦断面図である。
【図６】通常の断熱ブロックの上にスペーサを介して升状ブロックを設置した状態の縦断面図である。
【図７】合成樹脂製の断面台形状の円錐体の中にボルトを取付けてなる脚体の斜視図である。
【図８】高さの異なる各種の脚を示す側面図である。
【図９】植物を生やした升状ブロックを多数碁盤目状に隣接配置した状態を示す斜視図である。
【符号の説明】
【００４６】
１  四角形状の床部
２  脚
３  凹面
Ｂ  本考案による升状ブロック
４  升状の凹部
５  側壁
ｇ  発泡塊
６  底部
７  半円状の引っ込み部
８  面取り部
９  土壌
１０  芝生（植物）
１１  不透水シート
１２  設置面
ｂ  通常の断熱ブロック
１３  合成樹脂製の円錐体
１４  ボルト
【図１】
0003128200.tif 000003
【図２】
0003128200.tif 000004
【図３】
0003128200.tif 000005
【図４】
0003128200.tif 000006
【図５】
0003128200.tif 000007
【図６】
0003128200.tif 000008
【図７】
0003128200.tif 000009
【図８】
0003128200.tif 000010
【図９】
0003128200.tif 000011